(57)【要約】【課題】  入力された宛先番号からＥＮＵＭのドメインネームサーバよりＮＡＰＴＲリソースレコードを取得することで、ユーザが入力した宛先番号が、誤入力されることなく所望の通信相手の番号が入力されたかを確認することができ、テンキーを使用して宛先番号を入力する際の誤入力による間違った宛先への誤通信を防ぐことのできる画像通信装置およびその制御方法を提供する。【解決手段】  画像通信装置１００において、操作／表示部１０５より通信相手の宛先番号を受け付け、ドメイン名送信部１６１より宛先番号をＥＮＵＭ形式のアドレス情報であるドメイン名に変換してＤＮＳ１９０に問い合わせ、ＤＮＳ１９０からＮＡＰＴＲリソースレコードをＮＡＰＴＲ−ＲＲ部１６２において取得できた場合に、当該宛先番号に対してＦＡＸ部１２０より画像通信を開始する。【選択図】  図１
2007088935.tif 000002
【特許請求の範囲】
【請求項１】
ＥＮＵＭのドメインネームサーバにアクセス可能な画像通信装置において、
通信相手の宛先番号を受け付ける宛先番号受付手段と、
前記宛先番号受付手段により受け付けた宛先番号をＥＮＵＭ形式のアドレス情報であるドメイン名に変換して前記ドメインネームサーバに問い合わせる問い合わせ手段と、
前記問い合わせ手段により前記ドメインネームサーバからＮＡＰＴＲリソースレコードが取得できた場合に、当該宛先番号に対して画像送信を開始する通信制御手段と
を具備することを特徴とする画像通信装置。
【請求項２】
前記問い合わせ手段により前記ドメインネームサーバからＮＡＰＴＲリソースレコードが取得できない場合は、前記宛先番号受付手段により受け付けた当該宛先番号に対して画像送信してよいか否かをユーザに確認する確認手段
を更に具備し、
前記通信制御手段は、
前記確認手段により画像送信をしてよいとする指示を受け付けた場合、当該宛先番号に対して画像送信を開始する
ことを特徴とする請求項１記載の画像通信装置。
【請求項３】
ユーザから照合用文字を受け付ける照合用文字受付手段と、
前記問い合わせ手段により前記ドメインネームサーバからＮＡＰＴＲリソースレコードが取得できた場合、該取得したＮＡＰＴＲリソースレコードからＵＲＩを抽出するＵＲＩ抽出手段と
を更に具備し、
前記通信制御手段は、
前記ＵＲＩ抽出手段により抽出したＵＲＩに前記照合用文字受付手段により受け付けた照合用文字が含まれているか否かを判別し、該判別の結果、当該ＵＲＩに該照合用文字が含まれている場合、当該宛先番号に対して画像送信を開始する
ことを特徴とする請求項１記載の画像通信装置。
【請求項４】
ＥＮＵＭのドメインネームサーバにアクセス可能な画像通信装置において、
通信相手の宛先番号を受け付ける宛先番号受付手段と、
前記宛先番号受付手段により受け付けた宛先番号をＥＮＵＭ形式のアドレス情報であるドメイン名に変換して前記ドメインネームサーバに問い合わせる問い合わせ手段と、
前記問い合わせ手段により前記ドメインネームサーバからＮＡＰＴＲリソースレコードが取得できた場合、該取得したＮＡＰＴＲリソースレコードからＵＲＩを抽出するＵＲＩ抽出手段と、
前記ＵＲＩ抽出手段により抽出したＵＲＩを表示して当該宛先番号に対して画像送信してよいか否かをユーザに確認する確認手段と、
前記確認手段により画像送信をしてよいとする指示を受け付けた場合に、当該宛先番号に対して画像送信を開始する通信手段と
を具備することを特徴とする画像通信装置。
【請求項５】
ＥＮＵＭのドメインネームサーバにアクセス可能な画像通信装置の制御方法において、
通信相手の宛先番号を宛先受付手段により受け付け、
前記宛先番号受付手段により受け付けた宛先番号をＥＮＵＭ形式のアドレス情報であるドメイン名に変換して前記ドメインネームサーバに問い合わせ手段により問い合わせ、
前記問い合わせ手段により前記ドメインネームサーバからＮＡＰＴＲリソースレコードが取得できた場合に、当該宛先番号に対して通信制御手段により画像送信を開始する
ことを特徴とする画像通信装置の制御方法。
【請求項６】
前記問い合わせ手段により前記ドメインネームサーバからＮＡＰＴＲリソースレコードが取得できない場合は、前記宛先番号受付手段により受け付けた当該宛先番号に対して画像送信してよいか否かを確認手段によりユーザに確認し、
前記通信制御手段は、
前記確認手段により画像送信をしてよいとする指示を受け付けた場合、当該宛先番号に対して画像送信を開始する
ことを特徴とする請求項５記載の画像通信装置の制御方法。
【請求項７】
ＥＮＵＭのドメインネームサーバにアクセス可能な画像通信装置の制御方法において、
通信相手の宛先番号を宛先受付手段により受け付け、
ユーザから照合用文字を照合用文字受付手段により受け付け、
前記宛先番号受付手段により受け付けた宛先番号をＥＮＵＭ形式のアドレス情報であるドメイン名に変換して前記ドメインネームサーバに問い合わせ手段により問い合わせ、
前記問い合わせ手段により前記ドメインネームサーバからＮＡＰＴＲリソースレコードが取得できた場合、該取得したＮＡＰＴＲリソースレコードからＵＲＩをＵＲＩ抽出手段により抽出し、
前記ＵＲＩ抽出手段により抽出したＵＲＩに前記照合用文字受付手段により受け付けた照合用文字が含まれているか否かを判別し、該判別の結果、当該ＵＲＩに該照合用文字が含まれている場合、当該宛先番号に対して画像送信を開始する
ことを特徴とする画像通信装置の制御方法。
【請求項８】
ＥＮＵＭのドメインネームサーバにアクセス可能な画像通信装置の制御方法において、
通信相手の宛先番号を宛先番号受付手段により受け付け、
前記宛先番号受付手段により受け付けた宛先番号をＥＮＵＭ形式のアドレス情報であるドメイン名に変換して前記ドメインネームサーバに問い合わせ手段により問い合わせ、
前記問い合わせ手段により前記ドメインネームサーバからＮＡＰＴＲリソースレコードが取得できた場合、該取得したＮＡＰＴＲリソースレコードからＵＲＩをＵＲＩ抽出手段により抽出し、
前記ＵＲＩ抽出手段により抽出したＵＲＩを表示して当該宛先番号に対して画像送信してよいか否かをユーザに確認手段により確認し、
前記確認手段により画像送信をしてよいとする指示を受け付けた場合に、当該宛先番号に対して画像送信を通信手段により開始する
ことを特徴とする画像通信装置の制御方法。
【発明の詳細な説明】
【技術分野】
【０００１】
本発明は、ＥＮＵＭ(tElephone NUmber Mapping)技術に対応して、ユーザが、宛先の番号を入力する際に、短縮ボタンではなくテンキーを使用して数字を１つずつ入力し、ＦＡＸ通信をすることができる画像通信装置およびその制御方法に関し、特に、入力された宛先番号からＥＮＵＭのドメインネームサーバ（以下、ＤＮＳと記す）よりＮＡＰＴＲリソースレコードを取得することで、ユーザが入力した宛先番号が、誤入力されることなく所望の通信相手の番号が入力されたかを確認することができ、テンキーを使用して宛先番号を入力する際の誤入力による間違った宛先への誤通信を防ぐことのできる画像通信装置およびその制御方法に関する。
【背景技術】
【０００２】
従来より電話回線を利用して画像の送信を行うＦＡＸ(Facsimile)技術が存在する。
【０００３】
ＦＡＸ装置には、画像を送信する通信相手を指定する際に、通信相手の宛先番号を１つずつテンキーで入力するのではなくて、予め入力する宛先番号を記憶しておいた短縮ダイヤルを指定することで、所望の通信相手を指定することができる機能が一般的に備えられている。
【０００４】
しかし、短縮ダイヤルは、頻繁にＦＡＸ通信を行う通信相手の番号を登録することによって、テンキーを使用した宛先番号の入力の手間を省くものであり、頻繁にＦＡＸ通信を行わない通信相手や初めて通信を行う通信相手に対しては、テンキーを利用して数字を１つずつ入力することで通信相手を指定することになる。
【０００５】
また、インターネットを利用した通信技術として、最近では、ＥＮＵＭと呼ばれる技術が存在する。
【０００６】
このＥＮＵＭにおいては、国際電気通信連合(ＩＴＵ−Ｔ)による電話番号の国際的な取り決めであるＥ．１６４勧告に基づいて電話番号の変換を行い、ＥＮＵＭ形式のアドレス情報であるドメインネームを作成して、ドメインネームをＥＮＵＭのＤＮＳ(Domain Name Server)に送って問い合わせを行うことにより、相手先が通信可能な通信手段と該通信手段を使用した場合の相手先のアドレスをＵＲＩ形式で得ることができる。
【０００７】
そして、特許文献１では、通信相手の宛先情報を登録する際、通信相手の電話番号を登録すると同時にＩＰアドレスを自動的に登録することができるネットワークファクシミリ装置が提案されている。
【特許文献１】特開２００３−０６０８３６号公報
【発明の開示】
【発明が解決しようとする課題】
【０００８】
そして、電話番号やＦＡＸ番号を短縮ダイヤルでなくテンキーを使用して１つずつ入力する場面は、上記のように未だあり、現状ではＦＡＸ装置において間違った宛先番号が入力された場合には、誤入力された宛先番号に対して画像を送信する通信を行ってしまうことになる。
【０００９】
また、ＦＡＸ番号をテンキーを使用して１つずつ正確に入力するのは注意が必要で手間がかかるので、人間が行う限りどうしても誤入力が発生してしまう可能性がある。
【００１０】
そこでユーザが入力した宛先番号が本当にユーザの所望の通信相手の番号が入力されたか否かを確認する技術が望まれる。
【００１１】
しかし、特許文献１においては、インターネットを利用して通信相手のＩＰアドレスを自動的に登録することができるが、通信相手がユーザの所望する通信相手かどうかの確認を行えるものではなかった。
【００１２】
そこで、この発明は、入力された宛先番号からＥＮＵＭのドメインネームサーバよりＮＡＰＴＲリソースレコードを取得することで、ユーザが入力した宛先番号が、誤入力されることなく所望の通信相手の番号が入力されたかを確認することができ、テンキーを使用して宛先番号を入力する際の誤入力による間違った宛先への誤通信を防ぐことのできる画像通信装置およびその制御方法を提供することを目的とする。
【課題を解決するための手段】
【００１３】
上記目的を達成する為、請求項１の発明は、ＥＮＵＭのドメインネームサーバにアクセス可能な画像通信装置において、通信相手の宛先番号を受け付ける宛先番号受付手段と、前記宛先番号受付手段により受け付けた宛先番号をＥＮＵＭ形式のアドレス情報であるドメイン名に変換して前記ドメインネームサーバに問い合わせる問い合わせ手段と、前記問い合わせ手段により前記ドメインネームサーバからＮＡＰＴＲリソースレコードが取得できた場合に、当該宛先番号に対して画像送信を開始する通信制御手段とを具備することを特徴とする。
【００１４】
また、請求項２の発明は、請求項１の発明において、前記問い合わせ手段により前記ドメインネームサーバからＮＡＰＴＲリソースレコードが取得できない場合は、前記宛先番号受付手段により受け付けた当該宛先番号に対して画像送信してよいか否かをユーザに確認する確認手段を更に具備し、前記通信制御手段は、前記確認手段により画像送信をしてよいとする指示を受け付けた場合、当該宛先番号に対して画像送信を開始することを特徴とする。
【００１５】
また、請求項３の発明は、請求項１の発明において、ユーザから照合用文字を受け付ける照合用文字受付手段と、前記問い合わせ手段により前記ドメインネームサーバからＮＡＰＴＲリソースレコードが取得できた場合、該取得したＮＡＰＴＲリソースレコードからＵＲＩを抽出するＵＲＩ抽出手段とを更に具備し、前記通信制御手段は、前記ＵＲＩ抽出手段により抽出したＵＲＩに前記照合用文字受付手段により受け付けた照合用文字が含まれているか否かを判別し、該判別の結果、当該ＵＲＩに該照合用文字が含まれている場合、当該宛先番号に対して画像送信を開始することを特徴とする。
【００１６】
また、請求項４の発明は、ＥＮＵＭのドメインネームサーバにアクセス可能な画像通信装置において、通信相手の宛先番号を受け付ける宛先番号受付手段と、前記宛先番号受付手段により受け付けた宛先番号をＥＮＵＭ形式のアドレス情報であるドメイン名に変換して前記ドメインネームサーバに問い合わせる問い合わせ手段と、前記問い合わせ手段により前記ドメインネームサーバからＮＡＰＴＲリソースレコードが取得できた場合、該取得したＮＡＰＴＲリソースレコードからＵＲＩを抽出するＵＲＩ抽出手段と、前記ＵＲＩ抽出手段により抽出したＵＲＩを表示して当該宛先番号に対して画像送信してよいか否かをユーザに確認する確認手段と、前記確認手段により画像送信をしてよいとする指示を受け付けた場合に、当該宛先番号に対して画像送信を開始する通信手段とを具備することを特徴とする。
【００１７】
また、請求項５の発明は、ＥＮＵＭのドメインネームサーバにアクセス可能な画像通信装置の制御方法において、通信相手の宛先番号を宛先受付手段により受け付け、前記宛先番号受付手段により受け付けた宛先番号をＥＮＵＭ形式のアドレス情報であるドメイン名に変換して前記ドメインネームサーバに問い合わせ手段により問い合わせ、前記問い合わせ手段により前記ドメインネームサーバからＮＡＰＴＲリソースレコードが取得できた場合に、当該宛先番号に対して通信制御手段により画像送信を開始することを特徴とする。
【００１８】
また、請求項６の発明は、請求項５の発明において、前記問い合わせ手段により前記ドメインネームサーバからＮＡＰＴＲリソースレコードが取得できない場合は、前記宛先番号受付手段により受け付けた当該宛先番号に対して画像送信してよいか否かを確認手段によりユーザに確認し、前記通信制御手段は、前記確認手段により画像送信をしてよいとする指示を受け付けた場合、当該宛先番号に対して画像送信を開始することを特徴とする。
【００１９】
また、請求項７の発明は、ＥＮＵＭのドメインネームサーバにアクセス可能な画像通信装置の制御方法において、通信相手の宛先番号を宛先受付手段により受け付け、ユーザから照合用文字を照合用文字受付手段により受け付け、前記宛先番号受付手段により受け付けた宛先番号をＥＮＵＭ形式のアドレス情報であるドメイン名に変換して前記ドメインネームサーバに問い合わせ手段により問い合わせ、前記問い合わせ手段により前記ドメインネームサーバからＮＡＰＴＲリソースレコードが取得できた場合、該取得したＮＡＰＴＲリソースレコードからＵＲＩをＵＲＩ抽出手段により抽出し、前記ＵＲＩ抽出手段により抽出したＵＲＩに前記照合用文字受付手段により受け付けた照合用文字が含まれているか否かを判別し、該判別の結果、当該ＵＲＩに該照合用文字が含まれている場合、当該宛先番号に対して画像送信を開始することを特徴とする。
【００２０】
また、請求項８の発明は、ＥＮＵＭのドメインネームサーバにアクセス可能な画像通信装置の制御方法において、通信相手の宛先番号を宛先番号受付手段により受け付け、前記宛先番号受付手段により受け付けた宛先番号をＥＮＵＭ形式のアドレス情報であるドメイン名に変換して前記ドメインネームサーバに問い合わせ手段により問い合わせ、前記問い合わせ手段により前記ドメインネームサーバからＮＡＰＴＲリソースレコードが取得できた場合、該取得したＮＡＰＴＲリソースレコードからＵＲＩをＵＲＩ抽出手段により抽出し、前記ＵＲＩ抽出手段により抽出したＵＲＩを表示して当該宛先番号に対して画像送信してよいか否かをユーザに確認手段により確認し、前記確認手段により画像送信をしてよいとする指示を受け付けた場合に、当該宛先番号に対して画像送信を通信手段により開始することを特徴とする。
【発明の効果】
【００２１】
本発明の画像通信装置およびその制御方法によれば、通信相手の宛先番号を受け付ける宛先番号受付手段と、宛先番号受付手段により受け付けた宛先番号をＥＮＵＭ形式のアドレス情報であるドメイン名に変換して前記ドメインネームサーバに問い合わせる問い合わせ手段と、問い合わせ手段によりドメインネームサーバからＮＡＰＴＲリソースレコードが取得できた場合に、当該宛先番号に対して画像送信を開始する通信制御手段とを具備するように構成したので、入力された宛先番号によってＥＮＵＭのドメインネームサーバよりＮＡＰＴＲリソースレコードを取得することで、ユーザが入力した宛先番号が、誤入力されることなく所望の通信相手の番号が入力されたかを確認することができ、テンキーを使用して宛先番号を入力する際の誤入力による間違った宛先への誤通信を防ぐことのできるという効果を奏する。
【発明を実施するための最良の形態】
【００２２】
以下、本発明に係わる画像通信装置およびその制御方法の実施例について添付図面を参照して詳細に説明する。
【００２３】
まず、本発明に係わる画像通信装置の内部構成例について図１を参照して説明を行う。
【００２４】
図１は、本発明に係わる画像通信装置１００の内部構成例を示したブロック図である。
【００２５】
図１に示すように、画像通信装置１００は、ネットワークインタフェース１０８を通してネットワーク１７０に繋がっており、インターネット１８０を通して、ＥＮＵＭ形式のアドレス情報であるドメイン名をＮＡＰＴＲ(The Naming Authority Pointer)リソースレコード（以下、ＮＡＰＴＲ−ＲＲと記す）に変換するＤＮＳ(Domain Name Server)１９０に接続可能に構成されている。
【００２６】
画像通信装置１００は、バス１０６に、画像通信装置１００の全体の制御を行うシステム制御部１０１と、所定の解像度で原稿画像を読み取るスキャナ部１０３と、所定の解像度で画像を出力するプリンタ部１０４と、画像通信装置１００の操作で使用される各種操作キーおよび各種メッセージをユーザに表示する操作／表示部１０５と、スキャナ部１０３から読み込まれた画像または、ネットワーク１７０より受信した画像を蓄積する画像蓄積部１０２と、電話回線を利用したファックス通信の処理を行うＦＡＸ部１２０と、インターネットを利用したリアルタイムのインターネットファックスを行うリアルタイムｉＦＡＸ部１３０と、ＨＴＴＰ(HyperText Transfer Protocol)、ＳＩＰ(Session Initiation Protocol)等のプロトコルを処理してＥＮＵＭ更新情報の通信を行うトランスポートプロトコル処理部１４０と、電子メールを通じてインターネットファックスの処理を行う電子メールｉＦＡＸ部１５０と、ＥＮＵＭ技術を利用してＤＮＳ１９０に送受信する情報の制御を行うＥＮＵＭ部１６０とが接続されている。
【００２７】
さらに、ＦＡＸ部１２０、リアルタイムｉＦＡＸ部１３０、トランスポートプロトコル処理部１４０、電子メールｉＦＡＸ部１５０、ＥＮＵＭ部１６０は、インターネットのトランスポートレイヤとネットワークレイヤのプロトコル制御を行うＴＣＰ(Transmission Control Protocol)／ＵＤＰ(User Datagram Protocol)／ＩＰ(Internet Protocol)制御部１０７に接続されており、さらに、ＴＣＰ／ＵＤＰ／ＩＰ制御部１０７は、データリンク層以下の通信制御を行うネットワークインタフェース１０８に接続され、ネットワークインタフェース１０８は、ネットワーク１７０に繋がっており、ネットワーク１７０を通してインターネット１８０にアクセス可能に構成される。
【００２８】
ＦＡＸ部１２０は、ＦＡＸ部１２０内において、送信時に受信側の能力に合わせて画像の解像度、サイズ、符号則等を変換する処理を行う通信画像処理部１２１がバス１０６に繋がっており、さらに通信画像処理部１２１にはＴ．３０プロトコルを制御するＴ３０制御部１２２が接続され、さらに、Ｔ３０制御部１２２には、アナログ信号とデジタル信号の変復調を行うモデム１２３が接続され、さらに、モデム１２３には、電話回線１２５との接続制御を行うＮＣＵ１２４が接続されている。
【００２９】
このＦＡＸ部１２０により、画像通信装置１００は、電話回線１２５を使用したファックス通信が可能である。
【００３０】
また、リアルタイムｉＦＡＸ部１３０は、リアルタイムｉＦＡＸ部１３０内において、通信画像処理部１３１がバス１０６に繋がっており、さらに通信画像処理部１３１には、Ｔ．３０プロトコルを制御するＴ３０制御部１３２が接続され、さらにＴ３０制御部１３２にはリアルタイムファクシミリ用のＴ．３８プロトコルを制御するＴ３８制御部１３３が繋がっていて、このＴ３８制御部１３３がＴＣＰ／ＵＤＰ／ＩＰ制御部１０７に接続されている。
【００３１】
このリアルタイムｉＦＡＸ部１３０により、画像通信装置１００は、インターネットを利用したリアルタイムのインターネットファックスが可能である。
【００３２】
また、トランスポートプロトコル処理部１４０は、ＴＣＰ／ＵＤＰ／ＩＰ制御部１０７に繋がっている。
【００３３】
また、電子メールｉＦＡＸ部１５０は、電子メールｉＦＡＸ部１５０内において、通信画像処理部１５１がバス１０６に繋がっており、さらに通信画像処理部１５１には、既存電子メールの送受信制御を行うＳＭＴＰ(Simple Mail Transfer Protocol)制御部１５３と、Ｔ．３７プロトコルを制御してインターネットファックスの制御を行うＴ３７制御部１５２とが並列に接続され、そして、ＳＭＴＰ制御部１５３がＴＣＰ／ＵＤＰ／ＩＰ制御部１０７に接続されている。
【００３４】
この電子メールｉＦＡＸ部１５０により、画像通信装置は、電子メールを利用したインターネットファックスが可能である。
【００３５】
また、ＥＮＵＭ部１６０は、ＥＮＵＭ技術を利用するときにＤＮＳ１９０にＥＮＵＭ形式のアドレス情報であるドメイン名を送るドメイン名送信部１６１と、ＤＮＳ１９０から送られてくるＮＡＰＴＲ−ＲＲを受信するＮＡＰＴＲ−ＲＲ受信部１６２とが、それぞれバス１０６とＴＣＰ／ＵＤＰ／ＩＰ制御部１０７とに繋がっており、ドメイン名送信部１６１とＮＡＰＴＲ−ＲＲ受信部１６２とは直接的に接続されていない。
【００３６】
この画像通信装置１００においてＥＮＵＭ技術が使用される際には、操作／表示部１０５に入力された通信相手の宛先番号がシステム制御部１０１によってＥＮＵＭ部１６０内のドメイン名送信部１６１に送られ、ドメイン名送信部１６１において送られたＥＮＵＭ形式のアドレス情報であるドメイン名に変換され、ドメイン名送信部１６１からＴＣＰ／ＵＤＰ／ＩＰ制御部１０７とネットワークインタフェース１０８を通してネットワーク１７０からインターネット１８０上のＤＮＳ１９０にドメイン名を送り、ＮＡＰＴＲ−ＲＲを要求する。
【００３７】
ドメイン名が送られたＤＮＳ１９０は、受信したドメイン名に対応するＮＡＰＴＲ−ＲＲが登録されている場合には、該ＮＡＰＴＲ−ＲＲを画像通信装置１００に送り返す。
【００３８】
画像通信装置１００はネットワークインタフェース１０８でＮＡＰＴＲ−ＲＲを受け取ると、ＴＣＰ／ＵＤＰ／ＩＰ制御部１０７からＮＡＰＴＲ−ＲＲ受信部１６２に送り、ＮＡＰＴＲ−ＲＲ受信部１６２において、受信したＮＡＰＴＲ−ＲＲから、相手先が受信可能な通信手段と該通信手段を使用した場合の相手先のアドレスがＵＲＩ形式で抽出される。
【００３９】
また、画像通信装置１００からドメイン名が送られたＤＮＳ１９０において、該ドメイン名に対応するＮＡＰＴＲ−ＲＲが登録されていない場合には、画像通信装置１００はＮＡＰＴＲ−ＲＲを受信することができない。
【００４０】
次に、画像通信装置１００内の操作／表示部１０５に表示される、画像通信装置１００の操作で使用される操作画面について図２を参照して説明する。
【００４１】
図２は、画像通信装置１００内の操作／表示部１０５に表示される、画像通信装置１００の操作で使用される操作画面の一例を示した画面構成図である。
【００４２】
操作／表示部１０５に表示される操作画面には、画面左側に、通信相手の宛先番号を入力する番号入力欄２０１と、番号入力欄２０１に入力された宛先番号に対応するＵＲＩを表示するＵＲＩ表示欄２０２と、ユーザが通信相手を確認する為に照合用文字を入力する照合用文字入力欄２０３と、ユーザに各種メッセージを表示するメッセージ表示欄２０４が配置される。
【００４３】
また、画面右上には、実施例１のやり方によりＦＡＸ送信を行う第１の送信ボタン２０５、実施例２のやり方によりＦＡＸ送信を行う第２の送信ボタン２０６、実施例３のやり方によりＦＡＸ送信を行う第３の送信ボタン２０７が配置される。
【００４４】
なお、第１の送信ボタン２０５は、テンキー２１０の操作により、その機能が実施例４のやり方によりＦＡＸ送信を行う為の送信ボタンに切り替えられることが可能である。
【００４５】
また、画面右下には、送信を許可する送信許可ボタン２０８、送信を取り消す送信取消ボタン２０９、宛先番号を入力するテンキー２１０が配置される。
【００４６】
以上、図１、２で示した画像通信装置１００および操作／表示部１０５に表示される操作画面によって、実施例１、２、３、４の処理が行われる。
【実施例１】
【００４７】
本実施例では、通信相手の宛先番号が入力された後に、入力された宛先番号に対応するＮＡＰＴＲ−ＲＲがＤＮＳ１９０より取得できれば、宛先番号は正しく入力されたと判断して、該宛先番号に対して電話回線を利用して画像を送信するＦＡＸ通信を行う画像通信装置およびその制御方法について説明を行う。
【００４８】
本実施例で使用される画像通信装置は図１を参照して説明した画像通信装置１００であり、図２を参照して説明した操作／表示部１０５に表示される操作画面より操作が行われて通信が行われる。
【００４９】
まず、操作／表示部１０５に表示される操作画面よりユーザが宛先番号を入力して通信を行う処理について、操作画面を示す図３を参照して説明を行う。
【００５０】
図３は、本実施例においてユーザが宛先番号を入力して通信を行う際の操作画面である操作画面３００を示した画面構成図である。
【００５１】
本実施例においてユーザが通信を行う際には、まず、画像通信装置１００のスキャナ部１０３に送信する原稿をセットして、テンキー２１０を使用して番号入力欄２０１に、短縮ダイヤルではなく１つずつ数字を入力して通信相手の宛先番号の入力を行う。
【００５２】
図３の操作画面３００に示すように番号入力欄２０１に通信相手の宛先番号の入力が完了すると、次に、ユーザは第１の送信ボタン２０５を押下して送信を開始する。
【００５３】
第１の送信ボタン２０５の押下によって行われる送信は、入力された宛先番号に対応するＮＡＰＴＲ−ＲＲがＤＮＳ１９０より取得できれば宛先番号は正しく入力されたものと判断して、入力された宛先番号に対して原稿の画像の送信を開始するものである。
【００５４】
第１の送信ボタン２０５が押下されると、画像通信装置１００は、番号入力欄２０１に入力された宛先番号をＥＮＵＭ形式のアドレス情報であるドメイン名に変換してＤＮＳ１９０に問い合わせ、ＤＮＳ１９０より該宛先番号に対応するＮＡＰＴＲ−ＲＲを受信したことを確認して、宛先番号に対して、セットされた原稿の画像をＦＡＸ部１２０より送信する。
【００５５】
次に、本実施例において画像通信装置１００で行われる処理の処理フローについて図４を参照して説明を行う。
【００５６】
図４は、本実施例において画像通信装置１００で行われる処理の処理フローを示したフローチャートである。
【００５７】
ユーザは、送信する原稿をスキャナ部１０３にセットして（ステップ４０１）、操作／表示部１０５のテンキー２１０より、短縮ダイヤルではなく１つずつ数字を入力して通信相手の宛先番号の入力を行う（ステップ４０２）。
【００５８】
そして、第１の送信ボタン２０５が押下されると（ステップ４０３）、画像通信装置１００のシステム制御部１０１は、操作／表示部１０５で入力された宛先番号をドメイン名送信部１６１に送り、スキャナ部１０３にセットされた原稿を読み取って画像蓄積部１０２に読み取った画像を蓄積する。
【００５９】
ドメイン名送信部１６１では、送られた宛先番号を、ＤＮＳ１９０にＮＡＰＴＲ−ＲＲの問い合わせを行う為のドメイン名（例えば、8.7.6.5.4.3.2.1.8.e164.arpa）に変換する。
【００６０】
ドメイン名が得られると、ドメイン名送信部１６１からＴＣＰ／ＵＤＰ／ＩＰ制御部１０７、ネットワークインタフェース１０８を通して、ＤＮＳ１９０に対して、得られたドメイン名を送信することで、ＮＡＰＴＲ−ＲＲの問い合わせを行う（ステップ４０４）。
【００６１】
画像通信装置１００は、ＤＮＳ１９０にＮＡＰＴＲ−ＲＲの問い合わせを行った結果、ＤＮＳ１９０よりＮＡＰＴＲ−ＲＲが送られてくると、ＥＮＵＭ部１６０内のＮＡＰＴＲ−ＲＲ受信部１６２において、ＮＡＰＴＲ−ＲＲを受信する（ステップ４０５でＹＥＳ）。
【００６２】
ＮＡＰＴＲ−ＲＲ受信部１６２で受信したＮＡＰＴＲ−ＲＲからは、相手先が受信可能な通信手段、該通信手段を使用した場合のアドレス、相手先が受信する通信手段の優先順位等が記載されており、該アドレスはＵＲＩ形式で得られる。
【００６３】
システム制御部１０１は、ステップ４０４で問い合わせたドメイン名に対するＮＡＰＴＲ−ＲＲがＮＡＰＴＲ−ＲＲ受信部１６２で受信できたことを確認すると、ステップ４０２で番号入力欄２０１に入力された数字は間違いがなくユーザの所望する通信相手の宛先番号が入力されたと判断して、番号入力欄２０１に入力された宛先番号に対してＦＡＸ部１２０より電話回線を利用して画像を送信するＦＡＸ通信を行う（ステップ４０６）。
【００６４】
ＦＡＸ通信は、スキャナ部１０３から読み取られて画像蓄積部１０２に蓄積された、ステップ４０１でセットされた原稿の画像が、ＦＡＸ部１２０より送信されることで行われる。
【００６５】
画像通信装置１００においてこのように処理が行われることで、宛先番号を１つずつ数字で入力してＦＡＸ通信を行う際に、番号の誤入力による誤送信を防ぐことができる。
【００６６】
なお、本実施例は、電話回線を利用したＦＡＸ送信だけでなく、インターネットを利用したｉＦＡＸや電子メールを利用したＦＡＸにおいても、宛先番号と電話番号が同じ場合には利用することができる。
【実施例２】
【００６７】
本実施例では、通信相手の宛先番号が入力された後に、入力された宛先番号に対応するＮＡＰＴＲ−ＲＲをＤＮＳ１９０より取得して、取得したＮＡＰＴＲ−ＲＲより抽出されるＵＲＩをユーザに表示する等を行って、ユーザに通信相手の確認を行わせ、その結果ユーザより送信許可を得られた時点で、入力された宛先番号に対して電話回線を利用して画像を送信するＦＡＸ通信を行う画像通信装置およびその制御方法について説明を行う。
【００６８】
本実施例で使用される画像通信装置は図１を参照して説明した画像通信装置１００であり、また、図２を参照して説明した操作／表示部１０５に表示される操作画面より操作が行われて通信が行われる。
【００６９】
まず、操作／表示部１０５に表示される操作画面よりユーザが宛先番号を入力して通信を行う処理について、操作画面を示す図５を参照して説明を行う。
【００７０】
図５は、本実施例において、ユーザが宛先番号を入力して、入力された宛先番号に対応するＮＡＰＴＲ−ＲＲを取得して、取得したＮＡＰＴＲ−ＲＲより抽出されるＵＲＩをユーザに表示して、ユーザに宛先確認を行わせる際の操作画面である操作画面５００を示した画面構成図である。
【００７１】
本実施例においてユーザが通信を行う際には、まず、スキャナ部１０３に送信する原稿をセットして、操作／表示部１０５よりテンキー２１０を使用して番号入力欄２０１に、短縮ダイヤルではなく１つずつ数字を入力して通信相手の宛先番号の入力を行う。
【００７２】
番号入力欄２０１への宛先番号の入力が完了すると、次に、ユーザは、第２の送信ボタン２０６を押下して送信を開始する。
【００７３】
第２の送信ボタン２０６の押下によって行われる送信は、入力された宛先番号に対応するＮＡＰＴＲ−ＲＲをＤＮＳ１９０より取得し、取得したＮＡＰＴＲ−ＲＲよりＵＲＩをユーザに表示する等を行って、ユーザに表示して宛先確認を行わせ、その結果ユーザより送信許可を得られれば、入力された宛先番号に対して原稿の画像の送信を開始するものである。
【００７４】
第２の送信ボタン２０６が押下されると、画像通信装置１００は、番号入力欄２０１に入力された宛先番号をＥＮＵＭ形式のアドレス情報であるドメイン名に変換してＤＮＳ１９０に問い合わせ、ＤＮＳ１９０より該宛先番号に対応するＮＡＰＴＲ−ＲＲを受信し、受信したＮＡＰＴＲ−ＲＲよりＵＲＩを抽出して、ＵＲＩ表示欄２０２に抽出したＵＲＩを表示する。
【００７５】
図５の操作画面５００に示すように、抽出したＵＲＩがＵＲＩ表示欄２０２に表示されて、ユーザに宛先確認が求められる。
【００７６】
ユーザは、操作画面５００のＵＲＩ表示欄２０２に表示されたＵＲＩに含まれる文字等により、番号入力欄２０１に入力した番号が、間違いなく通信相手の番号が入力されたか否かの確認を行う。
【００７７】
例えば、操作画面５００に示すように、番号入力欄２０１に「0123456789」と入力した結果、ＵＲＩ表示欄２０２に「mailto:info@tokkyo.net」と表示されれば、ユーザは、表示された「mailto:info@tokkyo.net」の文字より、所望の通信相手に関するＵＲＩかあるいは、所望の送信相手とは全くかけ離れたＵＲＩか否かの判断を行うことができる。
【００７８】
ユーザはＵＲＩ表示欄２０２に表示された文字を視認して、所望の通信相手に関するＵＲＩであれば、番号入力欄２０１に入力された「0123456789」は、間違いなく所望の通信相手の番号が入力されたと確認して、送信許可ボタン２０８の押下を行う。
【００７９】
画像通信装置１００は、ＵＲＩ表示欄２０２にＵＲＩを表示した後、送信許可ボタン２０８が押下されると、番号入力欄２０１に入力された宛先番号に対して電話回線を利用して画像の送信を行うＦＡＸ通信を行う。
【００８０】
次に、本実施例において画像通信装置１００で行われる処理の処理フローについて図６を参照して説明を行う。
【００８１】
図６は、本実施例において画像通信装置１００で行われる処理の処理フローを示したフローチャートである。
【００８２】
ユーザは、送信する原稿をスキャナ部１０３にセットして（ステップ６０１）、操作／表示部１０５のテンキー２１０より、短縮ダイヤルではなく１つずつ数字を入力して通信相手の宛先番号の入力を行う（ステップ６０２）。
【００８３】
そして、第２の送信ボタン２０６が押下されると（ステップ６０３）、画像通信装置１００のシステム制御部１０１は、操作／表示部１０５に入力された宛先番号をドメイン名送信部１６１に送り、スキャナ部１０３にセットされた原稿を読み取って画像蓄積部１０２に読み取った画像を蓄積する。
【００８４】
ドメイン名送信部１６１では、送られた宛先番号を、ＤＮＳ１９０にＮＡＰＴＲ−ＲＲの問い合わせを行う為のドメイン名に変換する。
【００８５】
ドメイン名が得られると、ドメイン名送信部１６１からＴＣＰ／ＵＤＰ／ＩＰ制御部１０７、ネットワークインタフェース１０８を通して、ＤＮＳ１９０に対して該ドメイン名を送信して、ＮＡＰＴＲ−ＲＲの問い合わせを行う（ステップ６０４）。
【００８６】
ＤＮＳ１９０にＮＡＰＴＲ−ＲＲの問い合わせを行った結果、ＤＮＳ１９０よりＮＡＰＴＲ−ＲＲが送られてくると、画像通信装置１００は、ＥＮＵＭ部１６０内のＮＡＰＴＲ−ＲＲ受信部１６２において、送られるＮＡＰＴＲ−ＲＲを受信する（ステップ６０５でＹＥＳ）。
【００８７】
ＤＮＳ１９０より受信したＮＡＰＴＲ−ＲＲからは、相手先が受信可能な通信手段、該通信手段を使用した場合のアドレス、相手先が受信する通信手段の優先順位等が記載されており、該アドレスはＵＲＩ形式で得られる。
【００８８】
画像通信装置１００は、ＮＡＰＴＲ−ＲＲを受信するとＮＡＰＴＲ−ＲＲ受信部１６２でＵＲＩの抽出を行い、システム制御部１０１が操作／表示部１０５に操作画面５００で示したようにＵＲＩ表示欄２０２にＵＲＩの表示を行う（ステップ６０６）。
【００８９】
操作／表示部１０５のＵＲＩ表示欄２０２にＵＲＩの表示が行われ、ユーザの送信許可ボタン２０８の押下が行われると（ステップ６０７でＹＥＳ）、システム制御部は送信許可が得られたと判断して、ステップ６０２で番号入力欄２０１に入力された宛先番号に対して画像を送信するＦＡＸ通信を行う（ステップ６０８）。
【００９０】
ＦＡＸ通信は、スキャナ部１０３から読み取られて画像蓄積部に１０２に蓄積された、ステップ６０１でセットされた原稿の画像が、ＦＡＸ部１２０より送信されることで行われる。
【００９１】
また、ステップ６０５で、ＮＡＰＴＲ−ＲＲが受信できなかった場合には（ステップ６０５でＮＯ）、メッセージ欄２０４に「ＮＡＰＴＲ−ＲＲを取得できませんでした。番号入力欄に入力された番号で原稿を送信しますか？」というメッセージを表示して、ユーザに送信確認を行う（ステップ６０９）。
【００９２】
そして、ユーザの送信許可ボタン２０８の押下が行われて送信許可が得られると（ステップ６０７でＹＥＳ）、システム制御部１０１は、ステップ６０２で番号入力欄２０１に入力された宛先番号に対してＦＡＸ部１２０より電話回線を利用して画像を送信するＦＡＸ通信を行う（ステップ６０８）。
【００９３】
また、操作／表示部１０５にＵＲＩを表示するか（ステップ６０６）、或いは、メッセージを表示した（ステップ６０９）後、ユーザより送信許可ボタンの押下が行われずに送信取消ボタン２０９の押下が行われた場合には（ステップ６０７でＮＯ）、画像通信装置１００は画像の送信を行わずに処理を終了する。
【００９４】
画像通信装置１００においてこのように処理が行われることで、宛先番号を１つずつ数字で入力してＦＡＸ通信を行う際に、番号の誤入力による誤送信を防ぐことができる。
【００９５】
なお、本実施例は、電話回線を利用したＦＡＸ送信だけでなく、インターネットを利用したｉＦＡＸや電子メールを利用したＦＡＸにおいても、宛先番号と電話番号が同じ場合には利用することができる。
【実施例３】
【００９６】
本実施例では、ユーザは、電話回線を利用したＦＡＸ通信を行う最初に、通信相手の宛先番号の入力と、さらに、抽出されるＵＲＩに所望の文字が含まれているか否かを確認するための照合用文字の入力を行って、ＤＮＳ１９０にＮＡＰＴＲ−ＲＲを問い合わせ、ＤＮＳ１９０より受信したＮＡＰＴＲ−ＲＲより抽出されるＵＲＩに該照合用文字が含まれている場合等に宛先番号は正しく入力されたと判断して、当該宛先番号に対して電話回線を利用して画像を送信するＦＡＸ通信を自動的に行う画像通信装置およびその制御方法について説明を行う。
【００９７】
本実施例で使用される画像通信装置は図１を参照して説明した画像通信装置１００であり、また、図２を参照して説明した操作／表示部１０５に表示される操作画面より操作が行われて通信が行われる。
【００９８】
まず、操作／表示部１０５に表示される操作画面よりユーザが宛先番号と照合用文字を入力して通信を行う処理について、操作画面を示す図７を参照して説明を行う。
【００９９】
図７は、本実施例において、ユーザが宛先番号と照合用文字を入力してＦＡＸ通信を行う際の操作画面である操作画面７００を示した画面構成図である。
【０１００】
本実施例においてユーザが通信を行う際には、まず、スキャナ部１０３に送信する原稿をセットして、テンキー２１０を使用して番号入力欄２０１に、短縮ダイヤルではなく１つずつ数字を入力して通信相手の宛先番号の入力を行う。
【０１０１】
また、ユーザは、照合用文字入力欄２０３に、抽出されるＵＲＩを照合する為の照合用文字の入力を行う。
【０１０２】
操作画面７００に示すように、番号入力欄２０１に宛先番号の入力が完了し、照合用文字入力欄２０３に照合用文字の入力が完了すると、次に、ユーザは、第３の送信ボタン２０７を押下して送信を開始する。
【０１０３】
第３の送信ボタン２０７の押下によって行われる送信は、入力される宛先番号よりＤＮＳ１９０からＮＡＰＴＲ−ＲＲを受信して、抽出されるＵＲＩと予め入力していた照合用文字とを照合して、該ＵＲＩに当該照合用文字が含まれている場合等に、番号入力欄２０１に入力された宛先番号は正しく入力されたと判断して、自動的に、入力された宛先番号に対して原稿の画像の送信を開始するものである。
【０１０４】
第３の送信ボタン２０７が押下されると、画像通信装置１００は番号入力欄２０１に入力された宛先番号をＥＮＵＭ形式のアドレス情報であるドメイン名に変換してＤＮＳ１９０に問い合わせ、ＤＮＳ１９０より該宛先番号に対応するＮＡＰＴＲ−ＲＲを受信し、受信したＮＡＰＴＲ−ＲＲより抽出したＵＲＩと照合用文字入力欄２０３に入力された文字との照合を行う。
【０１０５】
照合の結果、受信したＵＲＩに、照合用文字入力欄２０３に入力された文字が含まれている場合には、システム制御部１０１は自動的に、スキャナ部１０３にセットされた原稿の画像をＦＡＸ部１２０よりＦＡＸ通信する。
【０１０６】
例えば、抽出したＵＲＩが「mailto:info@tokkyo.net」であって、照合用文字入力欄２０３に「tokkyo」が入力された場合には、「tokkyo」の文字がＵＲＩに含まれているので、番号入力欄２０１にはユーザが所望の通信相手の宛先番号が間違いなく入力されたと判断して、システム制御部１０１は自動的に原稿の画像をＦＡＸ通信する。
【０１０７】
また、上記照合の結果、受信したＵＲＩに、照合用文字入力欄２０３に入力された文字が含まれていない場合には、メッセージ欄２０４に送信確認をする旨のメッセージを表示して、ユーザより送信許可が得られれば、システム制御部１０１は原稿の画像をＦＡＸ通信する。
【０１０８】
次に、本実施例において画像通信装置１００で行われる処理の処理フローについて図８を参照して説明を行う。
【０１０９】
図８は、本実施例において画像通信装置１００で行われる処理の処理フローを示したフローチャートである。
【０１１０】
ユーザは、送信する原稿をスキャナ部１０３にセットして（ステップ８０１）、操作／表示部１０５のテンキー２１０より、短縮ダイヤルではなく１つずつ数字を入力して通信相手の宛先番号の入力を行う（ステップ８０２）。
【０１１１】
また、ユーザは、照合用文字入力欄２０３に、抽出されるＵＲＩを照合する為の照合用文字を入力する（ステップ８０３）。
【０１１２】
そして、ユーザより第３の送信ボタンが押下されると（ステップ８０４）、画像通信装置１００のシステム制御部１０１は、操作／表示部１０５に入力された宛先番号をドメイン名送信部１６１に送り、スキャナ部１０３にセットされた原稿を読み取って画像蓄積部１０２に読み取った画像を蓄積する。
【０１１３】
ドメイン名送信部１６１では、送られた宛先番号を、ＤＮＳ１９０にＮＡＰＴＲ−ＲＲの問い合わせを行う為のドメイン名に変換する。
【０１１４】
ドメイン名が得られると、ドメイン名送信部１６１からＴＣＰ／ＵＤＰ／ＩＰ制御部１０７、ネットワークインタフェース１０８を通して、ＤＮＳ１９０に対してドメイン名を送信して、ＮＡＰＴＲ−ＲＲの問い合わせを行う（ステップ８０５）。
【０１１５】
ＤＮＳ１９０にＮＡＰＴＲ−ＲＲの問い合わせを行った結果、ＤＮＳ１９０よりＮＡＰＴＲ−ＲＲが送られてくると、画像通信装置１００は、ＥＮＵＭ部１６０内のＮＡＰＴＲ−ＲＲ受信部１６２において、送られるＮＡＰＴＲ−ＲＲを受信する（ステップ８０６でＹＥＳ）。
【０１１６】
ＤＮＳ１９０より受信したＮＡＰＴＲ−ＲＲからは、相手先が受信可能な通信手段、該通信手段を使用した場合のアドレス、相手先が受信する通信手段の優先順位等が記載されており、該アドレスはＵＲＩ形式で得られる。
【０１１７】
画像通信装置１００は、ＮＡＰＴＲ−ＲＲを受信するとＮＡＰＴＲ−ＲＲ受信部１６２でＵＲＩの抽出を行い（ステップ８０７）、システム制御部１０１が、抽出されたＵＲＩと照合用文字入力欄２０３に入力された照合用文字との照合を行う（ステップ８０８）。
【０１１８】
照合の結果、抽出されたＵＲＩに、照合用文字入力欄２０３に入力された照合用文字が含まれていた場合には（ステップ８０８でＹＥＳ）、システム制御部１０１によって、番号入力欄２０１に入力された番号は正しくユーザが所望する通信相手の宛先番号が入力されたと判断されて、ステップ８０２で番号入力欄２０１に入力された宛先番号に対して画像を送信するＦＡＸ通信がＦＡＸ部１２０から行われる（ステップ８０９）。
【０１１９】
ＦＡＸ通信は、スキャナ部１０３から読み取られて画像蓄積部１０２に蓄積された、ステップ８０１でセットされた原稿の画像が、ＦＡＸ部１２０より送信されることで行われる。
【０１２０】
また、ステップ８０６で、ＮＡＰＴＲ−ＲＲが受信できなかった場合は（ステップ８０６でＮＯ）、メッセージ欄２０４に「ＮＡＰＴＲ−ＲＲを取得できませんでした。番号入力欄に入力された番号で原稿を送信しますか？」というメッセージを表示して、ユーザに送信確認を行う（ステップ８１０）。
【０１２１】
また、ステップ８０８で抽出されたＵＲＩを照合した結果、抽出されたＵＲＩに、照合用文字入力欄２０３に入力された照合用文字が含まれていなかった場合には（ステップ８０８でＮＯ）、メッセージ欄２０４に「照合の結果、ＤＮＳより得られたＵＲＩには、照合用文字が含まれていませんでした。番号入力欄に入力された番号で原稿を送信しますか？」というメッセージを表示して、ユーザに送信確認を行う（ステップ８１０）。
【０１２２】
ステップ８１０でユーザに送信確認を行った後に、ユーザの送信許可ボタン２０８の押下によって送信許可が得られると（ステップ８１１でＹＥＳ）、システム制御部１０１は、ステップ８０２で番号入力欄２０１に入力された宛先番号に対してＦＡＸ部１２０より電話回線を利用して画像を送信するＦＡＸ通信を行う（ステップ８０９）。
【０１２３】
また、ステップ８１０でユーザに送信確認を行った後に、ユーザの送信取消ボタン２０９の押下によって送信を取り消す指示が得られると（ステップ８１１でＮＯ）、画像送信装置１００は画像の送信を行わずに処理を終了する。
【０１２４】
画像通信装置１００においてこのように処理が行われることで、宛先番号を１つずつ数字で入力してＦＡＸ通信を行う際に、番号の誤入力による誤送信を防ぐことができる。
【０１２５】
なお、照合用文字入力欄２０３に入力される照合用文字は、数字を含む文字、或いは、数字だけでも可能である。
【０１２６】
なお、本実施例は、電話回線を利用したＦＡＸ送信だけでなく、インターネットを利用したｉＦＡＸや電子メールを利用したＦＡＸにおいても、宛先番号と電話番号が同じ場合には利用することができる。
【実施例４】
【０１２７】
実施例１では、通信相手の宛先番号が入力された後に、入力された宛先番号に対応するＮＡＰＴＲ−ＲＲがＤＮＳ１９０より取得できなかった場合には画像を送信するＦＡＸ通信は行わないように説明したが、本実施例では、入力された宛先番号に対応するＮＡＰＴＲ−ＲＲがＤＮＳ１９０より取得できなかった場合でも、ユーザより送信許可が得られれば、入力された宛先番号に対して電話回線を利用して画像を送信するＦＡＸ通信を行う画像通信装置およびその制御方法について説明を行う。
【０１２８】
本実施例で使用される画像通信装置は図１を参照して説明した画像通信装置１００であり、また、図２を参照して説明した操作／表示部１０５に表示される操作画面より操作が行われて通信が行われる。
【０１２９】
まず、ユーザが宛先番号を入力して、ＮＡＰＴＲ−ＲＲが受信できなかった場合にユーザからの送信許可が得られれば入力された宛先番号にＦＡＸ通信を行う処理について、操作画面を示す図９を参照して説明を行う。
【０１３０】
図９は、本実施例において、ユーザが宛先番号を入力して、ＮＡＰＴＲ−ＲＲが受信できなかった場合にユーザからの送信許可が得られれば入力された宛先番号にＦＡＸ通信を行う処理が行われる際の操作画面である操作画面９００を示した画面構成図である。
【０１３１】
本実施例においてユーザが通信を行う際には、送信する原稿をスキャナ部１０３にセットして、操作／表示部１０５よりテンキー２１０を使用して番号入力欄２０１に、短縮ダイヤルではなく１つずつ数字を入力して通信相手の宛先番号の入力を行う。
【０１３２】
番号入力欄２０１に宛先番号の入力が完了すると、次に、ユーザは、第１の送信ボタン２０５を押下して送信を開始する。
【０１３３】
なお、本実施例は、実施例１とは異なるので、予め第１の送信ボタン２０５の機能をテンキー２１０を使用して本実施例の機能にセットしておく。
【０１３４】
本実施例において、第１の送信ボタン２０５によって行われる送信は、入力された宛先番号に対応するＮＡＰＴＲ−ＲＲの取得を行い、ＮＡＰＴＲ−ＲＲの取得ができた場合には自動的に入力された宛先番号に対してＦＡＸ通信を行い、ＮＡＰＴＲ−ＲＲの取得ができなかった場合でもユーザより送信許可が得られれば入力された宛先番号に対して電話回線を利用したＦＡＸ通信を行うものである。
【０１３５】
第１の送信ボタン２０５が押下されると、画像通信装置１００は番号入力欄２０１に入力された宛先番号をＥＮＵＭ形式のアドレス情報であるドメイン名に変換してＤＮＳ１９０に問い合わせ、ＤＮＳ１９０より該宛先番号に対応するＮＡＰＴＲ−ＲＲを受信したことを確認して、入力された宛先番号に対して原稿の画像の送信を開始する。
【０１３６】
また、ＤＮＳ１９０に問い合わせた結果、ＮＡＰＴＲ−ＲＲが受信できなかった場合には、図９に示す操作画面９００のように、メッセージ欄２０４に「ＮＡＰＴＲ−ＲＲを取得できませんでした。番号入力欄に入力された番号で原稿を送信しますか？」というメッセージを表示してユーザに送信確認を行う。
【０１３７】
メッセージ欄２０４にメッセージを表示して、ユーザに送信確認を行った結果、ユーザより送信許可ボタン２０８の押下がなされると、送信許可が得られたと判断して、入力された宛先番号に対して電話回線を利用して原稿の画像を送信するＦＡＸ通信を開始する。
【０１３８】
メッセージ欄２０４にメッセージを表示して、ユーザに送信確認を行った結果、ユーザより送信取消ボタン２０９の押下がなされると、セットされた原稿の画像のＦＡＸ通信は行わずに処理は終了する。
【０１３９】
次に、本実施例において画像通信装置１００で行われる処理の処理フローについて図１０を参照して説明を行う。
【０１４０】
図１０は、本実施例において画像通信装置１００で行われる処理の処理フローを示したフローチャートである。
【０１４１】
ユーザは、送信する原稿をスキャナ部１０３にセットして（ステップ１００１）、操作／表示部１０５のテンキー２１０より、短縮ダイヤルではなく１つずつ数字を入力して通信相手の宛先番号の入力を行う（ステップ１００２）。
【０１４２】
そして、第１の送信ボタン２０５が押下されると（ステップ１００３）、画像通信装置１００のシステム制御部は、操作／表示部１０５に入力された宛先番号をドメイン名送信部１６１に送り、スキャナ部１０３にセットされた原稿を読み取って画像蓄積部１０２に読み取った画像を蓄積する。
【０１４３】
ドメイン名送信部１６１では、送られた宛先番号を、ＤＮＳ１９０にＮＡＰＴＲ−ＲＲの問い合わせを行う為のドメイン名に変換する。
【０１４４】
ドメイン名が得られると、ドメイン名送信部１６１からＴＣＰ／ＵＤＰ／ＩＰ制御部１０７、ネットワークインタフェース１０８を通して、ＤＮＳ１９０に対して、得られたドメイン名を送信して、ＮＡＰＴＲ−ＲＲの問い合わせを行う（ステップ１００４）。
【０１４５】
ＤＮＳ１９０にＮＡＰＴＲ−ＲＲの問い合わせを行った結果、ＤＮＳ１９０よりＮＡＰＴＲ−ＲＲが送られてくると、画像通信装置１００は、ＥＮＵＭ部１６０内のＮＡＰＴＲ−ＲＲ受信部１６２において、送られるＮＡＰＴＲ−ＲＲを受信する（ステップ１００５でＹＥＳ）。
【０１４６】
システム制御部１０１は、ステップ１００４で問い合わせたドメイン名に対するＮＡＰＴＲ−ＲＲが受信できたことを確認すると、ステップ１００２で番号入力欄２０１に入力された数字は間違いなくユーザの所望する通信相手の宛先番号が入力されたと判断して、番号入力欄２０１に入力された宛先に対して電話回線を利用して画像を送信するＦＡＸ通信を行う（ステップ１００８）。
【０１４７】
ＦＡＸ通信は、スキャナ部１０３から読み取られて画像蓄積部１０２に蓄積された、ステップ１００１でセットされた原稿の画像が、ＦＡＸ部１２０より送信されることで行われる。
【０１４８】
また、本実施例では実施例１とは異なり、ＤＮＳ１９０にＮＡＰＴＲ−ＲＲの問い合わせを行った結果、ＤＮＳ１９０よりＮＡＰＴＲ−ＲＲを受信できなかった場合には（ステップ１００５でＮＯ）、システム制御部１０１は、図９の操作画面９００を使用して説明したようにユーザに対してＮＡＰＴＲ−ＲＲを取得できなかった旨を表示して送信確認を行う（ステップ１００６）。
【０１４９】
送信確認を行った結果、ユーザによる送信許可ボタン２０８の押下が行われると（ステップ１００７でＹＥＳ）、システム制御部１０１は、番号入力欄２０１に入力された宛先番号に対してＦＡＸ部１２０より電話回線を利用して画像を送信するＦＡＸ通信を行う（ステップ１００８）。
【０１５０】
また、送信確認を行った結果、ユーザによる送信取消ボタン２０９の押下が行われると（ステップ１００７でＮＯ）、画像通信装置１００は画像を送信するＦＡＸ通信は行わずに処理を終了する。
【０１５１】
画像通信装置１００においてこのように処理が行われることで、宛先番号を１つずつ数字で入力してＦＡＸ通信を行う際に、番号の誤入力による誤送信を防ぐことができる。
【０１５２】
なお、本実施例は、電話回線を利用したＦＡＸ送信だけでなく、インターネットを利用したｉＦＡＸや電子メールを利用したＦＡＸにおいても、宛先番号と電話番号が同じ場合には利用することができる。
【産業上の利用可能性】
【０１５３】
この発明は、ＥＮＵＭ技術に対応してＥＮＵＭのドメインサーバよりＮＡＰＴＲ−ＲＲを受信することができ、さらに、通信相手の宛先番号を、短縮ボタンではなく、人が数字を１つずつ入力して通信相手に画像を送信するＦＡＸ通信をすることができる画像通信装置において利用可能である。
【０１５４】
この発明によれば、入力された宛先番号からＥＮＵＭのドメインネームサーバよりＮＡＰＴＲリソースレコードを取得することで、ユーザが入力した宛先番号が、誤入力されることなく所望の通信相手の番号が入力されたかを確認することができ、テンキーを使用して宛先番号を入力する際の誤入力による間違った宛先への誤通信を防ぐことのできる。
【図面の簡単な説明】
【０１５５】
【図１】本発明に係わる画像通信装置１００の内部構成例を示したブロック図。
【図２】画像通信装置１００内の操作／表示部１０５に表示される、画像通信装置１００の操作で使用される操作画面の一例を示した画面構成図。
【図３】実施例１においてユーザが宛先番号を入力して通信を行う際の操作画面である操作画面３００を示した画面構成図。
【図４】実施例１において画像通信装置１００で行われる処理の処理フローを示したフローチャート。
【図５】実施例２において、ユーザが宛先番号を入力して、入力された宛先番号に対応するＮＡＰＴＲ−ＲＲを取得して、取得したＮＡＰＴＲ−ＲＲより抽出されるＵＲＩをユーザに表示して、ユーザに宛先確認を行わせる際の操作画面である操作画面５００を示した画面構成図。
【図６】実施例２において画像通信装置１００で行われる処理の処理フローを示したフローチャート。
【図７】実施例３において、ユーザが宛先番号と照合用文字を入力してＦＡＸ通信を行う際の操作画面である操作画面７００を示した画面構成図。
【図８】実施例３において画像通信装置１００で行われる処理の処理フローを示したフローチャート。
【図９】実施例４において、ユーザが宛先番号を入力して、ＮＡＰＴＲ−ＲＲが受信できなかった場合にユーザからの送信許可が得られれば入力された宛先番号にＦＡＸ通信を行う処理が行われる際の操作画面である操作画面９００を示した画面構成図。
【図１０】実施例４において画像通信装置１００で行われる処理の処理フローを示したフローチャート。
【符号の説明】
【０１５６】
１００    画像通信装置
１０１    システム制御部
１０２    画像蓄積部
１０３    スキャナ部
１０４    プリンタ部
１０５    操作／表示部
１０６    バス
１０７    ＴＣＰ／ＵＤＰ／ＩＰ制御部
１０８    ネットワークインタフェース
１２０    ＦＡＸ部
１２１    通信画像処理部
１２２    Ｔ３０制御部
１２３    モデム
１２４    ＮＣＵ
１２５    電話回線
１３０    リアルタイムｉＦＡＸ部
１３１    通信画像処理部
１３２    Ｔ３０制御部
１３３    Ｔ３８制御部
１４０    トランスポートプロトコル処理部
１５０    電子メールｉＦＡＸ部
１５１    通信画像処理部
１５２    Ｔ３７制御部
１５３    ＳＭＴＰ制御部
１６０    ＥＮＵＭ部
１６１    ドメイン名送信部
１６２    ＮＡＰＴＲ−ＲＲ受信部
１７０    ネットワーク
１８０    インターネット
１９０    ＤＮＳ
２０１    番号入力欄２０１
２０２    ＵＲＩ表示欄
２０３    照合用文字入力欄
２０４    メッセージ欄
２０５    第１の送信ボタン
２０６    第２の送信ボタン
２０７    第３の送信ボタン
２０８    送信許可ボタン
２０９    送信取消ボタン
２１０    テンキー
【図１】
2007088935.tif 000003
【図２】
2007088935.tif 000004
【図３】
2007088935.tif 000005
【図４】
2007088935.tif 000006
【図５】
2007088935.tif 000007
【図６】
2007088935.tif 000008
【図７】
2007088935.tif 000009
【図８】
2007088935.tif 000010
【図９】
2007088935.tif 000011
【図１０】
2007088935.tif 000012